(57)【要約】【課題】  短時間で詳細な性格分析を行うことのできる性格分析システムを提供すること。【解決手段】本発明における性格分析システムは、電子ペンと情報端末とサーバを備えた性格分析システムであって、電子ペンは時系列に記録した手書き入力情報を格納する手段と、手書き入力情報を送信する手段を有し、情報端末は手書き入力情報を受信する手段と、手書き入力情報を送信し分析結果情報を受信する手段と、分析結果情報を表示する手段を有し、サーバは、手書き入力情報を受信する手段と、手書き入力情報と性格情報を互いに関連付けたデータベースと、手書き入力情報及びデータベースに基づいて時系列情報を用いて手書き入力を行った人物の性格分析を行い、分析結果情報を生成する手段と、分析結果情報を送信する手段を有する性格分析システムである。このような構成により、短時間で詳細な性格分析を行うことが可能となる。【選択図】図１
2007079891.tif 000002
【特許請求の範囲】
【請求項１】
電子ペンと情報端末とサーバを備えた性格分析システムであって、
前記電子ペンは、
手書き入力を行う筆記手段と、
前記筆記手段により行われた手書き入力の内容を時系列に記録した手書き入力情報を格納する記憶手段と、
前記記憶手段に格納された手書き入力情報を前記情報端末に送信する送信手段を有し、
前記情報端末は、
前記電子ペンから手書き入力情報を受信する受信手段と、
前記受信手段により受信した手書き入力情報を格納する記憶手段と、
前記サーバに対して前記記憶手段に格納した手書き入力情報を送信し、前記サーバから性格分析の結果である分析結果情報を受信する通信手段と、
前記通信手段により受信した前記分析結果情報を表示する表示手段を有し、
前記サーバは、
前記情報端末から前記手書き入力情報を受信する受信手段と、
前記手書き入力情報と性格情報を互いに関連付けたデータベースと、
前記受信手段により受信した手書き入力情報及び前記データベースに基づいて少なくとも前記手書き入力情報に含まれる時系列情報を用いて手書き入力を行った人物の性格分析を行い、前記分析結果情報を生成する制御手段と、
前記情報端末に前記制御手段により生成された分析結果情報を送信する送信手段を有する性格分析システム。
【請求項２】
電子ペンと情報端末を備えた性格分析システムであって、
前記電子ペンは、
手書き入力を行う筆記手段と、
前記筆記手段により行われた手書き入力の内容を時系列に記録した手書き入力情報を格納する記憶手段と、
前記記憶手段に格納された手書き入力情報を前記情報端末に送信する送信手段を有し、
前記情報端末は、
前記電子ペンから手書き入力情報を受信する受信手段と、
前記手書き入力情報と性格情報を互いに関連付けたデータベースと、
前記受信手段により受信した手書き入力情報及び前記データベースに基づいて少なくとも前記手書き入力情報に含まれる時系列情報を用いて手書き入力を行った人物の性格分析を行い、性格分析の結果である分析結果情報を生成する制御手段と、
前記制御手段により生成した前記分析結果情報を表示する表示手段を有する性格分析システム。
【請求項３】
電子ペンと情報端末とサーバと分析端末を備えた性格分析システムであって、
前記電子ペンは、
手書き入力を行う筆記手段と、
前記筆記手段により行われた手書き入力の内容を時系列に記録した手書き入力情報を格納する記憶手段と、
前記記憶手段に格納された手書き入力情報を前記情報端末に送信する送信手段を有し、
前記情報端末は、
前記電子ペンから手書き入力情報を受信する受信手段と、
前記受信手段により受信した手書き入力情報を格納する記憶手段と、
前記サーバに対して前記記憶手段に格納した手書き入力情報を送信し、前記サーバから性格分析の結果である分析結果情報を受信する通信手段と、
前記通信手段により受信した前記分析結果情報を表示する表示手段を有し、
前記サーバは、
前記情報端末から手書き入力情報を受信し、前記情報端末に前記分析結果情報を送信し、前記分析端末に前記手書き入力情報を送信し、前記分析端末から前記分析結果情報を受信する通信手段と、
前記通信手段により受信した前記手書き入力情報及び前記分析結果情報を格納する記憶手段を有し、
前記分析端末は、
前記サーバから前記手書き入力情報を受信し、前記サーバに前記分析結果情報を送信する通信手段と、
前記手書き入力情報と性格情報を互いに関連付けたデータベースと、
前記通信手段により受信した前記手書き入力情報及び前記データベースに基づいて少なくとも前記手書き入力情報に含まれる時系列情報を用いて手書き入力を行った人物の性格分析を行い、前記分析結果情報を生成する制御手段を有する性格分析システム。
【請求項４】
前記手書き入力情報は記入速度情報、休止時間情報、休止回数情報のいずれか一つあるいは複数を備えることを特徴とする請求項１、２または３記載の性格分析システム。
【請求項５】
前記電子ペンは、座標を表わす符号化パターンが印刷された用紙とともに用いられ当該用紙の符号化パターンを読み取ることにより手書き入力情報を生成することを特徴とする請求項１、２、３または４記載の性格分析システム。
【請求項６】
前記電子ペンは、超音波発振器を有し、外部に設けられた複数のセンサに対する超音波の到達時間に応じて当該電子ペンの相対位置を検出する方式において用いられることを特徴とする請求項１、２、３または４記載の性格分析システム。
【発明の詳細な説明】
【技術分野】
【０００１】
本発明は、性格分析システムに関するものであり、より詳細には、手書き入力情報を利用した性格分析システムに関する。
【背景技術】
【０００２】
他人の性格を理解することは、人間関係の構築のみならず、顧客対応の点でも有効であり、そのため性格分析が幅広い方法により行われてきた。そんな性格分析の方法の一つとして筆跡分析が挙げられる。筆跡分析は、本人識別の手段として用いられる鑑定の技術を応用したものである（例えば、特許文献１など）。筆記者の性格が筆跡に反映されることを利用して、顧客が手書きした筆跡から顧客の性格を分析する方法が提案されている（例えば、非特許文献１など）。
【特許文献１】特開２０００−２３１６３３号公報
【非特許文献１】「商業界」２０００年７月号、商業界出版、ｐ．５１−５２
【発明の開示】
【発明が解決しようとする課題】
【０００３】
しかしながら、このような筆跡鑑定による性格分析は、個人的な筆跡鑑定の知識に基づいており、行うことのできる条件が限られ、手間も時間もかかるものであった。また、筆跡のみを情報源としているため、筆記速度と性格の関連性などが反映されないものであった。
【０００４】
本発明は、このような問題点を解決するためになされたものであり、短時間で詳細な性格分析を行うことのできる性格分析システムを提供することを目的とする。
【課題を解決するための手段】
【０００５】
本発明における性格分析システムは、電子ペンと情報端末とサーバを備えた性格分析システムであって、前記電子ペンは、手書き入力を行う筆記手段と、前記筆記手段により行われた手書き入力の内容を時系列に記録した手書き入力情報を格納する記憶手段と、前記記憶手段に格納された手書き入力情報を前記情報端末に送信する送信手段を有し、前記情報端末は、前記電子ペンから手書き入力情報を受信する受信手段と、前記受信手段により受信した手書き入力情報を格納する記憶手段と、前記サーバに対して前記記憶手段に格納した手書き入力情報を送信し、前記サーバから性格分析の結果である分析結果情報を受信する通信手段と、前記通信手段により受信した前記分析結果情報を表示する表示手段を有し、前記サーバは、前記情報端末から前記手書き入力情報を受信する受信手段と、前記手書き入力情報と性格情報を互いに関連付けたデータベースと、前記受信手段により受信した手書き入力情報及び前記データベースに基づいて少なくとも前記手書き入力情報に含まれる時系列情報を用いて手書き入力を行った人物の性格分析を行い、前記分析結果情報を生成する制御手段と、前記情報端末に前記制御手段により生成された分析結果情報を送信する送信手段を有する性格分析システムである。このような構成により、短時間で詳細な性格分析を行うことが可能となる。
【０００６】
本発明における性格分析システムは、電子ペンと情報端末を備えた性格分析システムであって、前記電子ペンは、手書き入力を行う筆記手段と、前記筆記手段により行われた手書き入力の内容を時系列に記録した手書き入力情報を格納する記憶手段と、前記記憶手段に格納された手書き入力情報を前記情報端末に送信する送信手段を有し、前記情報端末は、前記電子ペンから手書き入力情報を受信する受信手段と、前記手書き入力情報と性格情報を互いに関連付けたデータベースと、前記受信手段により受信した手書き入力情報及び前記データベースに基づいて少なくとも前記手書き入力情報に含まれる時系列情報を用いて手書き入力を行った人物の性格分析を行い、性格分析の結果である分析結果情報を生成する制御手段と、前記制御手段により生成した前記分析結果情報を表示する表示手段を有する性格分析システムである。このような構成により、短時間で詳細な性格分析を行うことが可能となる。
【０００７】
本発明における性格分析システムは、電子ペンと情報端末とサーバと分析端末を備えた性格分析システムであって、前記電子ペンは、手書き入力を行う筆記手段と、前記筆記手段により行われた手書き入力の内容を時系列に記録した手書き入力情報を格納する記憶手段と、前記記憶手段に格納された手書き入力情報を前記情報端末に送信する送信手段を有し、前記情報端末は、前記電子ペンから手書き入力情報を受信する受信手段と、前記受信手段により受信した手書き入力情報を格納する記憶手段と、前記サーバに対して前記記憶手段に格納した手書き入力情報を送信し、前記サーバから性格分析の結果である分析結果情報を受信する通信手段と、前記通信手段により受信した前記分析結果情報を表示する表示手段を有し、前記サーバは、前記情報端末から手書き入力情報を受信し、前記情報端末に前記分析結果情報を送信し、前記分析端末に前記手書き入力情報を送信し、前記分析端末から前記分析結果情報を受信する通信手段と、前記通信手段により受信した前記手書き入力情報及び前記分析結果情報を格納する記憶手段を有し、前記分析端末は、前記サーバから前記手書き入力情報を受信し、前記サーバに前記分析結果情報を送信する通信手段と、前記手書き入力情報と性格情報を互いに関連付けたデータベースと、前記通信手段により受信した前記手書き入力情報及び前記データベースに基づいて少なくとも前記手書き入力情報に含まれる時系列情報を用いて手書き入力を行った人物の性格分析を行い、前記分析結果情報を生成する制御手段を有する性格分析システムである。このような構成により、短時間で詳細な性格分析を行うことが可能となる。
【０００８】
前記手書き入力情報は記入速度情報、休止時間情報、休止回数情報のいずれか一つあるいは複数を備えることを特徴としてもよい。
【０００９】
前記電子ペンは、座標を表わす符号化パターンが印刷された用紙とともに用いられ当該用紙の符号化パターンを読み取ることにより手書き入力情報を生成することを特徴としてもよい。
【００１０】
前記電子ペンは、超音波発振器を有し、外部に設けられた複数のセンサに対する超音波の到達時間に応じて当該電子ペンの相対位置を検出する方式において用いられることを特徴としてもよい。
【発明の効果】
【００１１】
本発明によれば、短時間で詳細な性格分析を行うことのできる性格分析システムを提供することが可能となる。
【発明を実施するための最良の形態】
【００１２】
発明の実施の形態１．
図１は、本発明の実施の形態１における性格分析システムの構成を示す図である。性格分析システム１は、電子ペン１０、情報端末１２、サーバ１３を備える。
【００１３】
図２は、電子ペン１０、情報端末１２、サーバ１３の構成をより詳細に示すブロック図である。電子ペン１０は、利用者が手書き入力を行う入力手段であり、利用者が行った手書き入力の内容である手書き入力情報を時系列に記録し、接続した情報端末１２に記録した手書き入力情報を送信する機能を有する。電子ペン１０は、筆記手段１００、制御手段１０１、記憶手段１０２、送信手段１０３を備える。
【００１４】
筆記手段１００は、通常の手書き入力による紙への記録を行う手段であり、ボールペンやシャープペンシルなどの通常の筆記用具と同様に、紙にインクや芯などを転写する機能を有する。筆記手段１００は、通常の筆記用具をそのまま利用することが可能である。
【００１５】
制御手段１０１は、電子ペン１０における各種制御を行う手段であり、筆記手段１００による手書き入力情報の記録、記録した手書き入力情報の送信指示などが行われる。制御手段１０１は、ＣＰＵ（Central Processing Unit）等により構成される。手書き入力情報の記録方法については、後に詳しく説明する。
【００１６】
記憶手段１０２は、筆記手段１００により行われた手書き入力の内容を手書き入力情報として格納する手段であり、ＲＡＭ（Random Access Memory）等により構成される。
【００１７】
送信手段１０３は、情報端末１２へ記憶手段１０２に格納された手書き入力情報を送信する手段である。本実施例での送信方法はブルートゥース（Bluetooth：登録商標）による無線通信により行うが、ＩｒＤＡ（Infrared Data Association）による赤外線通信や、ＵＳＢ（Universal Serial Bus）によるケーブル接続による通信方法を用いてもよく、データの送信を行うことが可能であれば手段は限定されない。
【００１８】
情報端末１２は、電子ペン１０から送信された手書き入力情報の記録や、サーバ１３への手書き入力情報の送信、サーバから受信した分析結果の表示などを行う端末であり、ＰＣ（Personal Computer）やＰＤＡ（Personal Digital Assistant）等を利用することができる。情報端末１２は、制御手段１２０、受信手段１２１、通信手段１２２、表示手段１２３、記憶手段１２４を備える。
【００１９】
制御手段１２０は、情報端末１２における各種制御を実行する手段であり、ＣＰＵ等により構成される。受信手段１２１は、電子ペン１０から送信された手書き入力情報を受信するための手段であり、電子ペン１０の送信手段１０３に応じた受信方法が実行される。
【００２０】
通信手段１２２は、サーバ１３と情報の送受信を行うための手段である。本実施例での通信はインターネット網などの通信網を介して行うものである。この場合、通信手段１２２は、モデムを利用することが可能である。表示手段１２３は、サーバ１３から送信された情報を表示するための手段であり、液晶ディスプレイ等により構成される。
【００２１】
記憶手段１２４は、受信手段１２１により受信した手書き入力情報を受信するための手段であり、ＨＤＤ（Hard Disk Drive）などにより構成される。サイズの制約上電子ペン１０の記憶手段１０２には容量を大きくすることに限界があるが、情報端末１２には大容量の記憶手段を設けることが可能である。
【００２２】
サーバ１３は、情報端末１２から受信した手書き入力情報の分析を行い、分析結果を情報端末１２へ送信を行うサーバであり、インターネットサーバやインターネットに接続されたＰＣを利用することが可能である。サーバ１３は、制御手段１３０、通信手段１３１、記憶手段１３２を備える。
【００２３】
制御手段１３０は、サーバ１３における各種制御を実行する手段であり、ＣＰＵ等により構成される。通信手段１３１は、情報端末１２と情報の送受信を行うための手段である。本実施例での通信はインターネット網を介して行うものとする。この場合、通信手段１３１は、モデムを利用することが可能である。
【００２４】
記憶手段１３２は、通信手段１３１により受信した手書き入力情報や、制御手段１３０により行われた分析結果、分析に用いられるデータベースなどを格納する手段であり、ＨＤＤなどにより構成される。
【００２５】
続いて、図３に示すシーケンス図を用いて、本実施例における性格分析システム１の処理の流れについて説明する。前提条件として、電子ペン１０は情報端末１２に手書き入力情報の送信が可能であり、情報端末１２及びサーバ１３はインターネットに接続されているものとする。
【００２６】
まず、電子ペン１０は、ユーザーの手書き入力を時系列に記録する。この時の記録方法は、アノト（登録商標）方式により行われる。この方式は、スウェーデンの会社であるＡｎｏｔｏ社が開発したデジタイジング方式である。
【００２７】
ここで、アノト方式について説明する。この方式には図４に示されるように専用の用紙１１が必要となる。また電子ペン１０には、図示しない光学モジュール１０４が必要となる。用紙１１には、筆記面であるパタン面１１１に図４に示すような符号パタン１１２が印刷されている。符号パタン１１２は、格子状に配列された複数のドット１１３から構成されている。ドット１１３は、光学モジュール１０４で認識できればよく、人間の視覚により認識できなくてもよい。ドット１１３は、例えば、カーボンインク等により印刷されている。例えば、ドット１１３の直径は０．１ｍｍであり、格子の間隔は０．３ｍｍであるが、その他の任意の値でもよい。
【００２８】
このドット１１３を光学モジュール１０４で認識し、ドット１１３が格子点からずれている距離によって手書き入力が行われている位置の認識を行う。アノト方式では、６点×６点つまり３６個の点の格子からのずれ方により、絶対座標を算出する。例えば、上下左右にずれたドット１１３にそれぞれ、"０"、"１"、"２"、"３"と４つの符号、つまり２進数における２ビットの符号と等価となる。例えば、パタンの符号語が、縦×横で６×６の符号とすると、６×６×２ビット、つまり符号語当たり７２ビットの値を表すことができる。
【００２９】
電子ペン１０は、光学モジュール１０４により毎秒５０〜７０回、位置の認識を行い、その時に書き込みが行われた座標位置情報を記憶手段１０２に記録することにより、時系列に手書き入力情報を記録することが可能となる。あるいは、毎回書き込みが行われた座標位置情報を送信手段１０３により情報端末１２に送信するようにしてもよい。
【００３０】
このようにして、電子ペン１０は、ユーザーの手書き入力を時系列に記録する（Ｓ１０１）。ユーザーの手書き入力が完了すると、電子ペン１０の制御手段１０１は、記憶手段１０２に記憶された手書き入力情報を送信手段１０３により情報端末１２に送信する（Ｓ１０２）。あるいは、先ほど述べたように、座標位置を認識する毎に座標位置情報を送信手段１０３により情報端末１２に送信する。
【００３１】
情報端末１２は、受信手段１２１により電子ペン１０の手書き入力情報を受信すると、受信した手書き入力情報を記憶手段１２４に格納する（Ｓ１０３）。この時、手書き入力情報をサーバ１３により分析が行いやすいように整理したり、データ量を減らすための圧縮処理を行ったりしてもよい。その後、通信手段１２２によりインターネット網を介してサーバ１３に手書き入力情報を送信する（Ｓ１０４）。
【００３２】
サーバ１３は、通信手段１３１により情報端末１２から手書き入力情報を受信すると、受信した手書き入力情報に基づいた性格分析を行う（Ｓ１０５）。性格分析の内容及び方法については後に詳しく説明する。性格分析が完了すると、通信手段１３１により分析結果情報を情報端末１２に送信する（Ｓ１０６）。
【００３３】
情報端末１２は、通信手段１２２によりサーバ１３から送信された分析結果情報を受信すると、表示手段１２３により、受信した分析結果情報を表示する（Ｓ１０７）。このようにして、手書き入力情報に基づいた性格分析の結果を知ることが可能となる。
【００３４】
ここで、サーバ１３による性格分析の方法及び内容について説明する。サーバ１３が受信する手書き入力情報は、単位時間毎の電子ペン１０のペン先の座標位置、電子ペン１０が用紙１１に記入したかどうかを示す情報が含まれ、そこから筆跡情報の他に記入速度、休止時間、休止回数などの情報も得ることができる。このような情報を利用して、筆跡に基づく性格分析よりも詳細な性格分析を行うことが可能となる。
【００３５】
これらの手書き入力情報から得られる情報を種類ごとに分類する。種類は特に限定されないが、例えば、図５に示されるように、記入速度を基準速度に対して“速い”、“遅い”の２通りに分類する。また、文字サイズを基準の大きさに対して、“大きい”、“小さい”の２通りに分類する。各項目について分類した結果をサーバ１３の記憶手段１３２に格納された性格分析データベースに基づいて、記入者の性格の分析を行う。
【００３６】
図５は、性格分析データベースの一例を示す表である。このデータベースに先ほど分類した種類毎に性格の分析を行う。例えば、記入速度が速く、文字が大きい場合は荒っぽい性格であり、記入速度が遅く、文字が小さい場合は、神経質な性格、という具合に分析される。
【００３７】
ここでの分類項目及び性格分析データベースは説明のため簡単なものにしたが、種類を多くかつ細かくすることにより、より詳細に性格分析を行うことが可能となる。例えば種類は、記入速度、文字サイズだけに限らず、記入速度の変化率や、筆圧、休止回数や休止時間、また文字の乱れ具合なども加えると幅広い方面から性格分析を行うことができる。更に、各項目についても２段階ではなく、３段階以上、更に細かく分けることにより、より詳細な性格分析を行うことが可能となる。
【００３８】
このようにして性格分析を、例えばアンケートに適応させることにより、アンケートの結果集計が効率よく行えるだけでなく、アンケートの結果からは分からない記入者の情報を知ることが可能となる。例えば、同じアンケート内容に対して同じ結果を答える場合でも、記入までの時間を知ることができる。同じ答えでも即答した場合と悩んだ末に答えた場合では意味合いが異なる場合があり、本実施例のシステムは、このような情報も性格分析結果に反映させることが可能となる。
【００３９】
また、このようにして行った分析結果は、顧客サービスを行うための情報として利用することが可能である。例えば、ホテルのチェックイン時に、本実施例のシステムを利用してサインしてもらうことにより、宿泊者の性格を把握することが可能となり、気が短い宿泊者に対しては時間をかけずに素早い対応を行い、気が長い宿泊者に対しては、時間をかけて丁寧な対応を行う等の、よりきめ細かなサービスの提供が可能となる。
【００４０】
発明の実施の形態２．
手書き入力情報に基づく性格分析をサーバで行わずに、情報端末で行う場合の例である。図６は、本発明の実施の形態２における性格分析システムの構成を示す図である。性格分析システム２は、電子ペン２０、情報端末２２を備える。
【００４１】
図７は、本発明における電子ペン２０、情報端末２２の構成をより詳細に示すブロック図である。電子ペン２０は、筆記手段２００、制御手段２０１、記憶手段２０２、送信手段２０３を備える。電子ペン２０の各手段については発明の実施の形態１と同様であり、ここでは説明を省略する。情報端末２２は、制御手段２２０、受信手段２２１、表示手段２２３、記憶手段２２４を備える。情報端末２２の各手段については、発明の実施の形態１と同様であり、ここでは説明を省略する。
【００４２】
続いて、図８に示すシーケンス図を用いて、本実施例における性格分析システム１の処理の流れについて説明する。前提条件として、電子ペン２０は情報端末１２に手書き入力情報の送信が可能であるものとする。
【００４３】
まず、電子ペン２０は、ユーザーの手書き入力を時系列に記録する（Ｓ２０１）。ユーザーの手書き入力が完了すると、電子ペン２０の制御手段２０１は、記憶手段２０２に記憶された手書き入力情報を送信手段２０３により情報端末２２に送信する（Ｓ２０２）。
【００４４】
情報端末２２は、受信手段２２１により電子ペン２０の手書き入力情報を受信すると、受信した手書き入力情報を記憶手段２２４に格納する（Ｓ２０３）。その後、情報端末２２は、記憶手段２２４に格納した手書き入力情報に基づいた性格分析を行う（Ｓ２０４）。性格分析の方法については、発明の実施の形態１と同様である。性格分析が完了すると、情報端末２２は、表示手段２２３により分析結果情報の表示を行う（Ｓ２０５）。
【００４５】
このようにして、サーバを介さずに情報端末２２を用いて性格分析を行うことにより、インターネットに接続できない環境下でも、性格分析を行うことが可能となる。
【００４６】
発明の実施の形態３．
手書き入力情報に基づく性格分析をサーバで行わずに、別途分析用の端末で行うようにする例である。図９は、本発明の実施の形態３における性格分析システムの構成を示す図である。性格分析システム３は、電子ペン３０、情報端末３２、サーバ３３、分析端末３４を備える。
【００４７】
図１０は、本発明における電子ペン３０、情報端末３２、サーバ３３、分析端末３４の構成をより詳細に示すブロック図である。電子ペン３０は、筆記手段３００、制御手段３０１、記憶手段３０２、送信手段３０３を備える。情報端末３２は、制御手段３２０、受信手段３２１、通信手段３２２、表示手段３２３、記憶手段３２４を備える。電子ペン３０、情報端末３２の各手段については発明の実施の形態１と同様であり、ここでは説明を省略する。サーバ３３は、情報端末３２から手書き入力情報を受信し、分析端末３４へ送信、分析端末３４から分析結果情報を受信し、情報端末３２へ送信するサーバであり、インターネットサーバやインターネットに接続されたＰＣを利用することが可能である。サーバ３３は、制御手段３３０、通信手段３３１、記憶手段３３２を備える。
【００４８】
制御手段３３０は、サーバ３３における各種制御を実行する手段であり、ＣＰＵ等により構成される。通信手段３３１は、情報端末１２及び分析端末３４と情報の送受信を行うための手段である。本実施例での通信はインターネット網を介して行うものとする。この場合、通信手段３３１は、モデムを利用することが可能である。
【００４９】
記憶手段３３２は、通信手段１３１により受信した手書き入力情報や、分析結果情報などを格納する手段であり、ＨＤＤなどにより構成される。
【００５０】
分析端末３４は、サーバ３３から受信した手書き入力情報に基づいて性格分析を行い、分析結果情報を生成する端末であり、ＰＣやＰＤＡ等を利用することができる。分析端末３４は、制御手段３４０、通信手段３４１、記憶手段３４２を備える。
【００５１】
制御手段３４０は、分析端末３４における各種制御を実行する手段であり、ＣＰＵ等により構成される。通信手段３４１は、サーバ３３と情報の送受信を行うための手段である。本実施例での通信はインターネット網を介して行うものとする。この場合、通信手段３４１は、モデムを利用することが可能である。記憶手段３２４は、通信手段３４１により受信した手書き入力情報を受信するための手段であり、ＨＤＤ等により構成される。
【００５２】
続いて、図１１に示すシーケンス図を用いて、本実施例における性格分析システム３の処理の流れについて説明する。前提条件として、電子ペン３０は情報端末３２に手書き入力情報の送信が可能であり、情報端末３２、サーバ３３及び分析端末３４はインターネットに接続されているものとする。
【００５３】
まず、電子ペン３０が、ユーザーの手書き入力を時系列に記録する（Ｓ３０１）。ユーザーの手書き入力が完了すると、電子ペン３０の制御手段３０１は、記憶手段３０２に記憶された手書き入力情報を送信手段３０３により情報端末３２に送信する（Ｓ３０２）。
【００５４】
情報端末３２は、受信手段３２１により電子ペン３０の手書き入力情報を受信すると、受信した手書き入力情報を記憶手段３２４に格納する（Ｓ３０３）。この時、手書き入力情報を分析が行いやすいように整理したり、データ量を減らすための圧縮処理を行ったりしてもよい。その後、通信手段３２２によりインターネット網を介してサーバ３３に手書き入力情報を送信する（Ｓ３０４）。
【００５５】
サーバ３３は、通信手段３３１により情報端末３２から手書き入力情報を受信すると、受信した手書き入力情報を分析端末３４へ送信する（Ｓ３０５）。分析端末３４は、通信手段３４１によりサーバ３３から手書き入力情報を受信すると、受信した手書き入力情報に基づいた性格分析を行う（Ｓ３０６）。
【００５６】
ここで、性格分析の方法について説明する。性格分析の方法は、発明の実施の形態１と同様の方法でもよいが、分析端末３４が受信した手書き入力情報に基づいて、性格分析の専門家などにより、人為的に性格分析を行い、その分析結果情報を分析端末３４に入力するようにしてもよい。こうすることにより、機械的な分類の及ばない範囲の性格分析を行うことが可能となる。性格分析が完了すると、通信手段３４１により分析結果情報を情報端末１２に送信する（Ｓ３０７）。
【００５７】
サーバ３３は、通信手段３３１により分析端末３４から分析結果情報を受信すると、受信した分析結果情報を記憶手段３３２に格納する（Ｓ３０８）。その後、サーバ３３は、格納した分析結果情報を通信手段３３１により情報端末３２へ送信する（Ｓ３０９）。情報端末３２は、通信手段３２２によりサーバ３３から送信された分析結果情報を受信すると、表示手段３２３により、受信した分析結果情報を表示する（Ｓ３１０）。このようにして、手書き入力情報に基づいた性格分析の結果を知ることが可能となる。
【００５８】
発明の実施の形態４．
上述の例では、手書き入力情報生成の方法をアノト方式によるものとしたが、これを超音波方式にしてもよい。以下、超音波方式による手書き位置検出の方法について説明する。位置検出以外の方法については、発明の実施の形態１、２、３と同様である。
【００５９】
図１２は、超音波方式による位置検出方法を示す図である。超音波方式における位置検出は、電子ペン４０、用紙４１、検出装置４５により行われる。電子ペン４０は、発明の実施の形態１、２、３における電子ペンの有する機能の他に、超音波発生手段４０１を備える。用紙４１は、通常の用紙でよく、アノト方式のような専用の用紙を必要としない。
【００６０】
検出装置４５は、用紙４１に対して予め定められた位置に取り付けられる。検出装置４５は、超音波センサ４５１、４５２を備える。超音波センサ４５１、４５２は、電子ペン４０の備える超音波発生手段４０１が発生する超音波信号の検出を行う。そして、２つの超音波センサが受信した信号の時間及び位相差から、電子ペン４０とそれぞれの超音波センサ４５１、４５２との距離ｒ１、ｒ２を得る。そして、距離ｒ１及びｒ２に基づいてペン位置Ｐ（ｒ１、ｒ２）を決定する。このペン位置Ｐの時間変動に基づいて筆跡データが形成され、電子ペン４０の備える記憶手段に手書き入力情報として格納される。もちろん、ペン位置ＰはＸＹ座標系に変換して筆跡データを形成しても良い。
【００６１】
このようにして、超音波方式の電子ペンを用いても、アノト方式の電子ペンと同様に、位置を認識することが可能であり、手書き入力情報を生成することができる。この手書き入力情報を用いて、発明の実施の形態１、２、３と同様に性格分析を行うことが可能である。
【図面の簡単な説明】
【００６２】
【図１】本発明における性格分析システムの全体構成を示す図である。
【図２】本発明における性格分析システムの各構成について詳細に示すブロック図である。
【図３】本発明における性格分析システムの処理の流れを示すシーケンス図である。
【図４】本発明における用紙の一例を示す図である。
【図５】本発明におけるデータベースの一例を示す図である。
【図６】本発明における性格分析システムの全体構成を示す図である。
【図７】本発明における性格分析システムの各構成について詳細に示すブロック図である。
【図８】本発明における性格分析システムの処理の流れを示すシーケンス図である。
【図９】本発明における性格分析システムの全体構成を示す図である。
【図１０】本発明における性格分析システムの各構成について詳細に示すブロック図である。
【図１１】本発明における性格分析システムの処理の流れを示すシーケンス図である。
【図１２】本発明における位置検出方法を示す図である。
【符号の説明】
【００６３】
１      性格分析システム
１０    電子ペン
１００  筆記手段
１０１  制御手段
１０２  記憶手段
１０３  送信手段
１０４  光学モジュール
１１    用紙
１１１  パタン面
１１２  符号パタン
１１３  ドット
１２    情報端末
１２０  制御手段
１２１  受信手段
１２２  通信手段
１２３  表示手段
１２４  記憶手段
１３    サーバ
１３０  制御手段
１３１  通信手段
１３２  記憶手段
２      性格分析システム
２０    電子ペン
２００  筆記手段
２０１  制御手段
２０２  記憶手段
２０３  送信手段
２２    情報端末
２２０  制御手段
２２１  受信手段
２２３  表示手段
２２４  記憶手段
３      性格分析システム
３０    電子ペン
３００  筆記手段
３０１  制御手段
３０２  記憶手段
３０３  送信手段
３２    情報端末
３２１  受信手段
３２２  通信手段
３２３  表示手段
３２４  記憶手段
３３    サーバ
３３０  制御手段
３３１  通信手段
３３２  記憶手段
３４    分析端末
３４０  制御手段
３４１  通信手段
３４２  記憶手段
４０    電子ペン
４０１  超音波発生手段
４１    用紙
４５    検出装置
４５１  超音波センサ
４５２  超音波センサ
【図１】
2007079891.tif 000003
【図２】
2007079891.tif 000004
【図３】
2007079891.tif 000005
【図４】
2007079891.tif 000006
【図５】
2007079891.tif 000007
【図６】
2007079891.tif 000008
【図７】
2007079891.tif 000009
【図８】
2007079891.tif 000010
【図９】
2007079891.tif 000011
【図１０】
2007079891.tif 000012
【図１１】
2007079891.tif 000013
【図１２】
2007079891.tif 000014